【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線発生部と、前記Ｘ線発生部から照射されるＸ線の線質を変えるＸ線フィルタを設置するためのＸ線フィルタ設置部と、前記Ｘ線フィルタ設置部に設置されたＸ線フィルタの種類を判別する種類判別センサと、前記Ｘ線フィルタ設置部に設置されたＸ線フィルタを介して前記被検体を透過したＸ線を検出するＸ線検出部と、前記Ｘ線検出部から出力されたＸ線信号に対して画像処理を行なうＸ線画像処理部と、前記被検体への照射時のＸ線線量を算出するＸ線線量算出部と、前記Ｘ線線量算出部により算出されたＸ線線量を表示する表示部を有し、
前記Ｘ線線量算出部は、前記種類判別センサにより判別されたＸ線フィルタの特性を用いて前記Ｘ線線量を算出すること、
を特徴とするＸ線透視撮影装置。
【請求項２】
前記被検体に対するＸ線照射領域を設定する絞り装置と、前記絞り装置により設定されたＸ線照射領域の面積を算出する照射面積算出部と、を有し、前記Ｘ線線量算出部は、前記照射面積算出部により算出されたＸ線照射領域の面積を用いて前記Ｘ線線量を算出すること、
を特徴とする請求項１に記載のＸ線透視撮影装置。
【請求項３】
前記Ｘ線フィルタ設置部へＸ線フィルタの挿入を検出する挿入確認センサを有し、前記Ｘ線線量算出部は、前記挿入確認センサによりＸ線フィルタの挿入が検出されなかった場合、Ｘ線フィルタが挿入されていないとして、前記Ｘ線線量を算出すること、
を特徴とする請求項１又は２に記載のＸ線透視撮影装置。
【請求項４】
Ｘ線フィルタが所定の位置まで挿入されたかを確認する設置検出センサを有し、前記挿入確認センサによりＸ線フィルタの挿入が検出され、且つ、前記設置検出センサにより、Ｘ線フィルタの挿入が検出されない場合、前記表示部に所定の位置までＸ線フィルタが挿入されていないことを表示すること、
を特徴とする請求項３に記載のＸ線透視撮影装置。
【請求項５】
前記特性はＸ線フィルタの透過率であること、
を特徴とする請求項１乃至４の何れか一項に記載のＸ線透視撮影装置。
【手続補正２】
【補正対象書類名】明細書
【補正対象項目名】０００１
【補正方法】変更
【補正の内容】
【０００１】
本発明は、複数種のX線フィルタの中から所望のX線フィルタを用いて透視を行う際、適用したX線フィルタの特性を考慮したX線線量の算出・表示を行うX線透視撮影装置に関する。
【手続補正３】
【補正対象書類名】明細書
【補正対象項目名】０００６
【補正方法】変更
【補正の内容】
【０００６】
本発明は、X線透視撮影装置は、被検体にX線を照射するX線発生部と、前記X線発生部から照射されるX線の線質を変えるX線フィルタを設置するためのX線フィルタ設置部と、前記X線フィルタ設置部に設置されたX線フィルタの種類を判別する種類判別センサと、前記X線フィルタ設置部に設置されたX線フィルタを介して前記被検体を透過したX線を検出するX線検出部と、前記X線検出部から出力されたX線信号に対して画像処理を行なうX線画像処理部と、前記被検体への照射時のX線線量を算出するX線線量算出部と、前記X線線量算出部により算出されたX線線量を表示する表示部を有し、前記X線線量算出部は、前記種類判別センサにより判別されたX線フィルタの特性を用いて前記X線線量を算出すること、を特徴とする。
【手続補正４】
【補正対象書類名】明細書
【補正対象項目名】００１１
【補正方法】変更
【補正の内容】
【００１１】
X線透視撮影装置1は、被検体100を載せる天板101と、被検体100にX線を照射するX線発生部102と、X線発生部102から発生したX線を遮蔽するX線遮蔽用鉛板を複数有し、複数のX線遮蔽用鉛板をそれぞれ移動することにより、被検体100に対するX線照射領域を設定する絞り装置103と、この複数のX線遮蔽用鉛板のそれぞれ移動量を検出する移動量検出部103aと、移動量検出部103aにより検出されたX線遮蔽用鉛板の移動量から絞り装置103により設定されたX線照射領域の面積を算出する照射面積算出部103bと、X線発生部102に電力供給を行なう高電圧発生部104と、X線発生部102から照射されるX線の線質を変えるX線フィルタ105と、X線フィルタ105を設置するためのX線フィルタ設置部106と、X線フィルタ設置部106にX線フィルタ105が設置されたかの有無と、どの種類のX線フィルタ105が設置されたのかを検出するX線フィルタ検出部107と、X線フィルタ検出部107によって判定されたX線フィルタの種類と、X線発生部102からX線を照射する際にX線発生部102が備えるX線管球に印加する管電圧と管電流を有してなるX線照射条件と、照射面積算出部103bによって算出されたX線照射領域の面積と、を用いてX線線量を算出するX線線量算出部107aと、X線発生部102に対向する位置に配置され、被検体100を透過したX線を検出するX線検出部108と、X線検出部108にて検出されたX線信号に対して画像処理を行い、X線透視画像を生成する画像処理部109と、画像処理部109から出力されたX線透視画像を記憶する記憶部110と、X線透視画像及びX線線量算出部107aによって算出されたX線線量を表示する表示部111と、上記各構成要素を制御する制御部112と、制御部112に対して指令を行なう操作部113と、を備えている。
【手続補正５】
【補正対象書類名】明細書
【補正対象項目名】００１５
【補正方法】変更
【補正の内容】
【００１５】
画像処理部109は、X線検出部108にて検出されたX線信号を画像処理し、画像処理されたX線透視画像を出力する。主に、画像処理は、ガンマ変換、階調変換処理、画像の拡大・縮小等である。
【手続補正６】
【補正対象書類名】明細書
【補正対象項目名】００２３
【補正方法】変更
【補正の内容】
【００２３】
これにより、挿入確認センサ107bは、挿入口201にX線フィルタ105aが挿入されたことを検出する。
【手続補正７】
【補正対象書類名】明細書
【補正対象項目名】００２４
【補正方法】変更
【補正の内容】
【００２４】
次に、操作者がX線フィルタ105aを挿入口201の奥まで差し込むと、設置検出センサ107eによりX線フィルタ105aが所定の位置まで挿入された状態であると検出される。設置検出センサ107eは特に図示しなし赤外線照射部と赤外線受光部とを備えており、赤外線照射部から照射された赤外線を赤外線受光部により受光している間はX線フィルタ105aが所定の位置まで挿入されていない状態として検出し、赤外線照射部と赤外線受光部の間にX線フィルタ105aの端部が差し込まれ、赤外線照射部から照射された赤外線が赤外線受光部により受光できない状態となった時にX線フィルタ105aが所定の位置まで挿入された状態であると検出する。
【手続補正８】
【補正対象書類名】明細書
【補正対象項目名】００２５
【補正方法】変更
【補正の内容】
【００２５】
設置検出センサ107eによりX線フィルタ105aが所定の位置まで挿入されたことが検出されると、種類判別センサ107cと種類判別センサ107dにより挿入されたX線フィルタがX線フィルタ105aであるかX線フィルタ105bであるかが判別される。
【手続補正９】
【補正対象書類名】明細書
【補正対象項目名】００３４
【補正方法】変更
【補正の内容】
【００３４】
以上、本実施例のX線透視撮影装置1によれば、X線フィルタが所定の位置に設置されているか、また、設置されている場合、どの種類のX線フィルタが設置されているのか、をそれぞれ、挿入確認センサ107bと、種類判別センサ107c、種類判別センサ107dにより検出し、照射面積算出部103bによって算出されたX線照射領域の面積と、操作部113を介して制御部112に入力されたX線透視を行う際のX線照射条件と、を用いて、X線透視時のX線線量を算出し算出した結果を表示部111に表示するX線線量算出部107aを備えているため、複数種類のX線フィルタから所望のX線フィルタを選択し、X線透視撮影装置1に設置した場合であっても、その都度、設置したX線フィルタの特性を操作者がX線透視撮影装置1に入力する必要がなく、設置されたX線フィルタの特性を考慮したX線線量を算出し、表示部に表示することができる。
【手続補正１０】
【補正対象書類名】明細書
【補正対象項目名】００３９
【補正方法】変更
【補正の内容】
【００３９】
実施例1と異なる点は、絞り装置103の天板101側に、更に、ハレーション防止フィルタ400を設置するためのハレーション防止フィルタ設置部401と、ハレーション防止フィルタ設置部401にハレーション防止フィルタ400が設置されたかの有無と、どの種類のハレーション防止フィルタ400が設置されたのかを検出するハレーション防止フィルタ検出部402と、を備える点である。ハレーション防止フィルタ400にはX線照射領域の面積を狭めるものなど複数種類のフィルタがある。X線線量算出部107aはX線フィルタ検出部107によって検出したX線フィルタ105の特性に加え、ハレーション防止フィルタ検出部402によって検出されたハレーション防止フィルタ400の特性を用いてX線透視時のX線線量を算出し算出した結果を表示部111に表示する。
【手続補正１１】
【補正対象書類名】明細書
【補正対象項目名】００４０
【補正方法】変更
【補正の内容】
【００４０】
以上、本実施例のX線透視撮影装置2によれば、X線フィルタとハレーション防止フィルタという複数のフィルタを同時に用いた場合でも、X線透視時のX線線量を適正に算出し、算出結果を表示部111に表示することができる。
【手続補正１２】
【補正対象書類名】明細書
【補正対象項目名】００４１
【補正方法】変更
【補正の内容】
【００４１】
1，2  X線透視撮影装置、100  被検体、101  天板、102  X線発生部、103  絞り装置、103a  移動量検出部、103b  照射面積算出部、104  高電圧発生部、105  X線フィルタ、106  X線フィルタ設置部、107  X線フィルタ検出部、108  X線検出部、109  画像処理部、110  記憶部、107a  X線線量算出部、111  表示部、112  制御部、113  操作部、201  挿入口、202、205：フィルタストッパ、203、204、206：穴、400：ハレーション防止フィルタ、401：ハレーション防止フィルタ設置部、402：ハレーション防止フィルタ検出部
【手続補正１３】
【補正対象書類名】図面
【補正対象項目名】図１
【補正方法】変更
【補正の内容】
【図１】
2015228928.tif 000001
【手続補正１４】
【補正対象書類名】図面
【補正対象項目名】図４
【補正方法】変更
【補正の内容】
【図４】
2015228928.tif 000002